(57)【要約】【課題】資機材の性質上、車室外に設置した方が好ましいものについては車外からアクセスして取り出すことが可能な資機材収納装置及びこれを用いた救急車両を得る。【解決手段】車体右側部１８のリヤサイドドア２２の奥側には仕切り壁２８が立設されており、これにより閉鎖空間３０が形成される。そして、この閉鎖空間３０内に車外で使用される頻度が高い資機材が収納されるようになっている。【選択図】        図１
2006288539.tif 000002
【特許請求の範囲】
【請求項１】
車体右側部及び車体左側部の少なくとも一方に設けられたリヤサイドドアの閉止状態において、当該閉止状態のリヤサイドドアと対向する位置に、車室内空間と隔成しかつ当該リヤサイドドアとで閉鎖空間を形成するための仕切り壁が立設されており、当該閉鎖空間に資機材が収納可能とされている、
ことを特徴とする資機材収納装置。
【請求項２】
前記リヤサイドドアは、車体側部に沿ってスライドすることにより開閉動作がなされるスライドドアである、
ことを特徴とする請求項１記載の資機材収納装置。
【請求項３】
請求項１又は請求項２に記載された資機材収納装置を備えた、
ことを特徴とする救急車両。
【発明の詳細な説明】
【技術分野】
【０００１】
本発明は、車外からアクセス可能な資機材収納装置及びこれを用いた救急車両に関する。
【背景技術】
【０００２】
以下、救急車両を例にして、背景技術を説明する。
【０００３】
救急車両には、種々の救命用の資機材及びレスキュー用の資機材等が装備されている。また、近年、救急救命士の活動範囲が見直されるに至り、搭載すべき資機材も増加してきている。
【０００４】
このように救急車両には種々の資機材が搭載されているのであるが、これらの資機材の中には処置室内に設置しておく必要があるものもあれば、むしろレスキュー用の資機材のように車両外部に設置しておいた方が作業効率上好ましいものもある。また、清・汚水タンク等のように処置室に内容物が零れると衛生上好ましくない資機材もある。
【特許文献１】特表２００１−５２４３５２号公報（段落番号［００５２］、図１３ａ、図１４）
【特許文献２】特開２００１−１０４３３７号公報
【発明の開示】
【発明が解決しようとする課題】
【０００５】
しかしながら、現状の救急車両では車両側面の上部に開閉可能な蓋を設けて、レスキュー用工具専用のサイド収納ボックスを設けたり、或いは特許文献１に開示された技術のように酸素ボンベのみを外部からアクセス可能な区域に設置するといった技術が開示されているに過ぎない。
【０００６】
以上を背景として、車外からアクセスした方が好ましい資機材についてはなるべく外部からアクセス可能にすることが望まれていた。
【０００７】
本発明は上記事実を考慮し、資機材の性質上、車室外に設置した方が好ましいものについては車外からアクセスして取り出すことが可能な資機材収納装置及びこれを用いた救急車両を得ることが目的である。
【課題を解決するための手段】
【０００８】
請求項１記載の本発明に係る資機材収納装置は、車体右側部及び車体左側部の少なくとも一方に設けられたリヤサイドドアの閉止状態において、当該閉止状態のリヤサイドドアと対向する位置に、車室内空間と隔成しかつ当該リヤサイドドアとで閉鎖空間を形成するための仕切り壁が立設されており、当該閉鎖空間に資機材が収納可能とされている、ことを特徴としている。
【０００９】
請求項２記載の本発明に係る資機材収納装置は、請求項１記載の発明において、前記リヤサイドドアは、車体側部に沿ってスライドすることにより開閉動作がなされるスライドドアである、ことを特徴としている。
【００１０】
請求項３記載の本発明に係る救急車両は、請求項１又は請求項２に記載された資機材収納装置を備えた、ことを特徴としている。
【００１１】
請求項１記載の本発明によれば、車体右側部及び車体左側部の少なくとも一方にはリヤサイドドアが設けられており、本発明では、かかる既存のリヤサイドドアと対向する位置に仕切り壁を立設している。この仕切り壁は車室内空間と隔成するものであり、かつリヤサイドドアとで閉鎖空間を形成するものであるため、当該閉鎖空間を利用して資機材を収納させることができる。
【００１２】
資機材を取り出す際には、上記リヤサイドドアを開放させればよい。リヤサイドドアを開放させると、資機材が収納された閉鎖空間が現れるので、車外から直接資機材を取り出すことが可能となる。
【００１３】
請求項２記載の本発明によれば、車体側部に沿ってスライドすることにより開閉動作がなされるスライドドアを用いて上記リヤサイドドアを構成したので、スイング式のサイドドアに比べて閉鎖空間をより広く確保することができる。
【００１４】
請求項３記載の本発明によれば、救急車両に請求項１又は請求項２の資機材収納装置を装備させたので、車外で使用する頻度が高い緊急用の資機材やメンテナンス等のために取り出す頻度が高い資機材等を取り出し易いレイアウトで資機材収納装置内に収納させることができる。
【発明の効果】
【００１５】
以上説明したように、請求項１記載の本発明に係る資機材収納装置は、車体右側部及び車体左側部の少なくとも一方に設けられたリヤサイドドアの閉止状態において、当該閉止状態のリヤサイドドアと対向する位置に、車室内空間と隔成しかつ当該リヤサイドドアとで閉鎖空間を形成するための仕切り壁が立設されており、当該閉鎖空間に資機材を収納できるようにしたので、資機材の性質上、車室外に設置した方が好ましいものについては車外からアクセスして取り出すことが可能になるという優れた効果を有する。
【００１６】
請求項２記載の本発明に係る資機材収納装置は、請求項１記載の発明において、車体側部に沿ってスライドすることにより開閉動作がなされるスライドドアを用いて上記リヤサイドドアを構成したので、スイング式のサイドドアに比べて閉鎖空間を広く確保することができ、その結果、種々の資機材を取り出し易くレイアウトして収納することができるという優れた効果を有する。
【００１７】
請求項３記載の本発明に係る救急車両は、請求項１又は請求項２に記載された資機材収納装置を備えているので、緊急時のレスキュー作業の作業効率を格段に高めることができると共にメンテナンス時の作業労力を格段に軽減することができるという優れた効果を有する。
【発明を実施するための最良の形態】
【００１８】
以下、図１及び図２を用いて、本発明に係る資機材収納装置及びこれを用いた救急車両の一実施形態について説明する。なお、これらの図において適宜示される矢印ＦＲは車両前方側を示しており、矢印ＵＰは車両上方側を示しており、矢印ＯＵＴは車両幅方向外側を示している。
【００１９】
図２には、本実施形態に係る救急車両１０の外観斜視図が示されている。この図に示されるように、救急車両１０は、車体左側部１２にフロントサイドドア１４及びリヤサイドドア１６を備えている。フロントサイドドア１４はスイング式のドアとされ、リヤサイドドア１６はスライド式のドアとされている。なお、図２には、救急車両１０の車体左側部１２のみが描かれているが、図１に示されるように、車体右側部１８も同様にスイング式のフロントサイドドア２０とスライド式のリヤサイドドア２２とを備えている。さらに、図示した車両は救急車両１０であるため、バックドアも備えており、５ドア車として構成されている。
【００２０】
図１には、上記救急車両１０に搭載された本実施形態に係る資機材収納装置２４の全体斜視図が示されている。この図に示されるように、資機材収納装置２４は、救急車両１０の車体右側部１８に設けられており、以下に詳細に説明する。
【００２１】
リヤサイドドア２２の閉止状態において、当該閉止状態のリヤサイドドア２２と対向する位置には、車室内空間２６と隔成するための仕切り壁２８が車体右側部１８に沿って立設されている。仕切り壁２８は車体フロアから車体ルーフまで延在されており、リヤサイドドア２２の大きさに匹敵する凹部を構成している。
【００２２】
上記リヤサイドドア２２が閉止状態にされると、リヤサイドドア２２と仕切り壁２８とで閉鎖空間３０が形成されるようになっており、この閉鎖空間３０を資機材収納庫として利用する構成である。
【００２３】
ちなみに、この実施形態では、閉鎖空間３０内の右壁面３２の上部には、車外救急活動で使用するレスキュー工具３４が図示しない固定装置（取付金具）によって固定されている。また、右壁面３２の中間部には車両幅方向内側へ凹む凹部３６が形成されており、かかる凹部３６内には車室内で使用する手洗いシンク用で車外にて廃棄・充填する必要がある一対の清・汚水タンク３８が収納されている。さらに、右壁面３２の下部には開閉可能な蓋４０が設けられており、この蓋４０の奥側が（救急車両であるがために）メンテナンスの頻度が高いバッテリを収納するための引出し装置付きのバッテリ収納庫４２とされている。さらに、バッテリ収納庫４２の隣には、車外救急活動で使用する救命浮輪４４が図示しない固定装置によって固定されている。
【００２４】
また、閉鎖空間３０の左壁面４６の上部には、ホワイトボード４８が設置されている。さらに、左壁面４６の下部には、酸素を充填するために取り出す頻度が高い酸素ボンベ５０が図示しない固定装置によって固定されている。また、左壁面４６の下部側には棚５２が設けられている。棚５２の下方にはチェーン５４が設置されており、又棚５２の上面には車外で内容物の廃棄が行われるゴミ箱５２が設置されている。なお、左壁面４６の中間部付近には車室内空間２６と閉鎖空間３０とを相互に連通する小さめの開口部５８が形成されており、車室内からゴミ箱５２にゴミを入れることができるように設計されている。
【００２５】
（本実施形態の作用並びに効果）
次に、本実施形態の作用並びに効果について説明する。
【００２６】
本実施形態に係る資機材収納装置２４を備えた救急車両１０は元々５ドア車で構成された車両を使っているため、車体右側部１８に設けられている既存のリヤサイドドア２２に着眼し、当該リヤサイドドア２２と対向する位置に仕切り壁２８を設置することにより、当該リヤサイドドア２２と仕切り壁２８とで閉鎖空間３０が形成される。そして、この閉鎖空間３０内に、各種の資機材を作業内容に応じて取り出し易いレイアウトで収納させることができる。
【００２７】
これにより、例えば、緊急で車外で使用したい資機材（レスキュー工具３４等）を取り出す際には、上記リヤサイドドア２２を開放させるだけでよい。リヤサイドドア２２を開放させると、当該資機材が収納された閉鎖空間３０が現れるので、車外から直接資機材を取り出すことが可能となる。
【００２８】
また、メンテナンスのために取り出したい資機材（バッテリ等）を少ない労力で取り出すことが可能となる。
【００２９】
上記より、本実施形態に係る資機材収納装置２４及びこれを備えた救急車両１０によれば、車外で行われる緊急時のレスキュー作業の作業効率を格段に高めることができる。加えて、メンテナンス時の作業労力を軽減することができると共に、車室内の処置室の衛生環境を良好に保つことができる。さらに、車体右側部１８に閉鎖空間３０を設けて車外で使う頻度の高い資機材を収納させることにより、車室内の処置室の空間を拡大することができると共に車両への乗降性を向上させることができる。
【００３０】
また、本実施形態に係る資機材収納装置２４及びこれを備えた救急車両１０では、車体右側部１８に沿ってスライドすることにより開閉動作がなされるスライドドアを用いて上記リヤサイドドア２２を構成したので、スイング式のサイドドアに比べて閉鎖空間をより広く確保することができる。その結果、本実施形態によれば、種々の資機材を取り出し易くレイアウトして収納することができる。
【００３１】
〔上記実施形態の補足説明〕
なお、上述した本実施形態では、本発明に係る資機材収納装置を救急車両１０に適用したが、本発明の適用対象は救急車両に限られず、種々のタイプの車両に適用することができる。例えば、アウトドア仕様の車両であれば、テント類やシート等専ら車外で使用する資機材を資機材収納装置に収納させることができれば、非常に便利である。
【００３２】
また、上述した本実施形態では、スライド式のリヤサイドドア２２を閉鎖空間３０の引き戸として利用したが、請求項１記載の発明には、スライド式のリヤサイドドア２２以外のスイング式のリヤサイドドア等も含まれる。また、必ずしも５ドア車である必要はなく、４ドア車でもよいし、３ドア車でもよい。つまり、既存のサイドドアを利用するという趣旨が活かされていれば、リヤサイドドアは車体左側部１２及び車体右側部１８の少なくとも一方に設けられていればよく、仮に車体右側部１８のみにリヤサイドドアが設定される場合には、そのリヤサイドドアは乗降用としては使われなくなるに過ぎない（この場合、乗員は、例えば、助手席側のフロントサイドドアを開けて、フロントシートのシートバックを前方に倒して車内後方へ乗り込むことになる）。
【００３３】
さらに、上述した本実施形態では、閉鎖空間３０のゴミ箱５２の上部に車室内外を連通する開口部５８を設置しているため、閉鎖空間３０は車室内空間２６と完全に隔成されている訳ではないが、請求項１記載の本発明における「閉鎖空間」の概念には、車室内空間２６と完全に隔成された閉鎖空間が含まれる他、本実施形態のように利便性等の観点から、若干の開口部５８等が存在するために、閉鎖空間３０の全体の大きさ（広さ）に比べて小さな連通経路が出来てしまうが、実質的には閉鎖空間３０と呼べるものも含まれる。
【図面の簡単な説明】
【００３４】
【図１】本実施形態に係る救急車両の外観斜視図である。
【図２】図１に示される救急車両に搭載される資機材収納装置の全体斜視図である。
【符号の説明】
【００３５】
１０      救急車両
１８      車体右側部
２２      リヤサイドドア
２４      資機材収納装置
２６      車室内空間
２８      仕切り壁
３０      閉鎖空間
３４      レスキュー工具（資機材）
３８      清・汚水タンク（資機材）
４４      救命浮輪（資機材）
４８      ホワイトボード（資機材）
５０      酸素ボンベ（資機材）
５４      チェーン（資機材）
５６      ゴミ箱（資機材）
【図１】
2006288539.tif 000003
【図２】
2006288539.tif 000004